(57)【要約】【課題】ユニバーサル圧延機に平鋼を圧延する竪ロールを装着可能とし、装置構成が簡単で経済的であり、作業性も良好にできる偏心リンク式圧延機ガイド装置を提供する。【解決手段】偏心リンク式圧延機ガイド装置は、平鋼を圧延する竪ロール１５、１６を装着可能なユニバーサル圧延機１１に使用され、竪ロール１５、１６間の入側上方と出側上方には、平鋼を竪ロール１５、１６間へ誘導する誘導ガイド部３５、３６と、この基側に設けられ誘導ガイド部３５、３６の高さ調整を行う高さ調整用偏心軸４９、５０と、誘導ガイド部３５、３６の先側に設けられたガイド部用偏心軸５７、５８と、これらを接続するリンク機構とが備えられ、高さ調整用偏心軸４９、５０またはガイド部用偏心軸５７、５８がユニバーサル圧延機１１に設けられた駆動手段によって回動され、誘導ガイド部３５、３６が上下動可能となり、形鋼と平鋼の両方を圧延可能にした。【選択図】図１
2008183611.tif 000002
【特許請求の範囲】
【請求項１】
圧延設備に順次配置された第１のユニバーサル圧延機と、エッジャー圧延機と、第２のユニバーサル圧延機のうち、該第１、第２のユニバーサル圧延機のいずれか一方または双方のユニバーサル圧延機に使用する偏心リンク式圧延機ガイド装置であって、
前記ユニバーサル圧延機は、平鋼を圧延する左右対となる竪ロールを装着可能であり、
前記対となる竪ロール間の入側上方および出側上方には、
前記平鋼を該竪ロール間へ誘導する誘導ガイド部と、該誘導ガイド部の基側に回動自在に設けられ該誘導ガイド部の高さ調整を行う高さ調整用偏心軸と、該高さ調整用偏心軸と間隔を有して前記誘導ガイド部の先側に回動自在に設けられたガイド部用偏心軸と、前記高さ調整用偏心軸と前記ガイド部用偏心軸を接続するリンク機構とが備えられ、前記高さ調整用偏心軸または前記ガイド部用偏心軸が、前記ユニバーサル圧延機に設けられた駆動手段によって回動され、前記誘導ガイド部が上下動可能となり、形鋼と前記平鋼の両方を圧延可能にしたことを特徴とする偏心リンク式圧延機ガイド装置。
【請求項２】
請求項１記載の偏心リンク式圧延機ガイド装置において、前記誘導ガイド部は、前記平鋼の表面側に配置され、しかも該平鋼の幅方向に渡って１または２以上の開口部が形成されており、該開口部には、前記ガイド部用偏心軸に回転自在に設けられたガイドローラが配置され、しかも該ガイドローラが前記誘導ガイド部の底面から突出して前記平鋼の表面と接触可能になっていることを特徴とする偏心リンク式圧延機ガイド装置。
【請求項３】
請求項１および２のいずれか１項に記載の偏心リンク式圧延機ガイド装置において、前記対となる竪ロール間の入側下方および出側下方には、前記平鋼を支持する支持ガイドが設けられていることを特徴とする偏心リンク式圧延機ガイド装置。
【請求項４】
請求項３記載の偏心リンク式圧延機ガイド装置において、前記支持ガイドは、前記平鋼の幅方向に渡って１または２以上の開口部が形成された支持台と、該支持台の開口部に配置され、該支持台に回転自在に設けられた搬送ローラとを有し、しかも該搬送ローラが前記支持台の表面から突出して、該搬送ローラが前記平鋼の裏面と接触することを特徴とする偏心リンク式圧延機ガイド装置。
【発明の詳細な説明】
【技術分野】
【０００１】
本発明は、形鋼と平鋼の両方を圧延可能とする圧延設備の圧延機に使用する偏心リンク式圧延機ガイド装置に関する。
【背景技術】
【０００２】
従来、幅精度の高い平鋼を圧延する場合、水平ロールを備えた圧延機の他に、竪ロールを備えた圧延機によって平鋼の幅方向の圧延を行い、製品の幅精度および端部形状を確保する必要があった。しかし、このような竪ロールを備えた圧延機を有する圧延設備を建設する場合、設備コストがかかり経済的でなく、また既設の形鋼を圧延する圧延設備に竪ロールを備えた圧延機を増設し、幅方向の圧延を実施できるようにする場合には、形鋼の圧延操業の休止も必要となることから、竪ロールを備えた圧延機を設置することは容易でなかった。
そこで、例えば、特許文献１〜３に示す形鋼を製造するユニバーサル圧延機に、平鋼を圧延する竪ロールを装着可能とすることにより、より安価で圧延操業を休止することなく、平鋼を圧延できる圧延設備が提案されていた。
【０００３】
【特許文献１】特開平５−３２９５２４号公報（図１）
【特許文献２】特開平５−１２３７３６号公報（図２）
【特許文献３】特開平１１−２９０９２６号公報（図２）
【発明の開示】
【発明が解決しようとする課題】
【０００４】
しかしながら、特許文献１に開示された圧延機に、平鋼を圧延する竪ロールを、装着する場合、平鋼を竪ロールへ誘導するための誘導ガイドの位置決めができない。形鋼を圧延するロールは、形鋼を中心としてその上下方向に配置されているため、このロール間へ形鋼を誘導する誘導ガイドは、偏心軸を回動させるとともに、その先端をロールに接触させることにより、その高さ位置の調整が行われている。このため、この圧延機に竪ロールを装着した場合、誘導ガイドの先端が接触するロールがなくなるため、誘導ガイドの位置決めができない問題がある。
【０００５】
ここで、誘導ガイドの位置決めを行うため、別途位置決め用のピンチロールを設けることも考えられるが、この場合、例えば、ピンチロールを固定するためのフレームと、ピンチロールを動かすための駆動手段が別途必要となり、装置構成が複雑になるとともに、設備コストがかかり経済的でない。
また、特許文献２には、ユニバーサル圧延機用のガイド装置が開示されているが、このようなガイド装置を竪ロールに適用する場合、構造が大規模になり、設備費が高く、しかも組み替えに手間を要する。
そして、特許文献３には、リンク機構により、誘導ガイドを圧延ラインに対して平行移動させるガイド装置が開示されているが、誘導ガイドの位置調整に際しては、特許文献１と同様に、誘導ガイドの先端をローラに接触させる必要がある。
【０００６】
本発明はかかる事情に鑑みてなされたもので、ユニバーサル圧延機に平鋼を圧延する竪ロールを装着するに際し、装置構成を簡単にでき、経済的で、しかも設置の際の作業性も良好にできる偏心リンク式圧延機ガイド装置を提供することを目的とする。
【課題を解決するための手段】
【０００７】
前記目的に沿う本発明に係る偏心リンク式圧延機ガイド装置は、圧延設備に順次配置された第１のユニバーサル圧延機と、エッジャー圧延機と、第２のユニバーサル圧延機のうち、該第１、第２のユニバーサル圧延機のいずれか一方または双方のユニバーサル圧延機に使用する偏心リンク式圧延機ガイド装置であって、
前記ユニバーサル圧延機は、平鋼を圧延する左右対となる竪ロールを装着可能であり、
前記対となる竪ロール間の入側上方および出側上方には、
前記平鋼を該竪ロール間へ誘導する誘導ガイド部と、該誘導ガイド部の基側に回動自在に設けられ該誘導ガイド部の高さ調整を行う高さ調整用偏心軸と、該高さ調整用偏心軸と間隔を有して前記誘導ガイド部の先側に回動自在に設けられたガイド部用偏心軸と、前記高さ調整用偏心軸と前記ガイド部用偏心軸を接続するリンク機構とが備えられ、前記高さ調整用偏心軸または前記ガイド部用偏心軸が、前記ユニバーサル圧延機に設けられた駆動手段によって回動され、前記誘導ガイド部が上下動可能となり、形鋼と前記平鋼の両方を圧延可能にした。
【０００８】
本発明に係る偏心リンク式圧延機ガイド装置において、前記誘導ガイド部は、前記平鋼の表面（上面）側に配置され、しかも該平鋼の幅方向に渡って１または２以上の開口部が形成されており、該開口部には、前記ガイド部用偏心軸に回転自在に設けられたガイドローラが配置され、しかも該ガイドローラが前記誘導ガイド部の底面から突出して前記平鋼の表面と接触可能になっていることが好ましい。
【０００９】
本発明に係る偏心リンク式圧延機ガイド装置において、前記対となる竪ロール間の入側下方および出側下方には、前記平鋼を支持する支持ガイドが設けられていることが好ましい。
本発明に係る偏心リンク式圧延機ガイド装置において、前記支持ガイドは、前記平鋼の幅方向に渡って１または２以上の開口部が形成された支持台と、該支持台の開口部に配置され、該支持台に回転自在に設けられた搬送ローラとを有し、しかも該搬送ローラが前記支持台の表面（上面）から突出して、該搬送ローラが前記平鋼の裏面（下面）と接触することが好ましい。
【発明の効果】
【００１０】
請求項１〜４記載の偏心リンク式圧延機ガイド装置は、平鋼を対となる竪ロール間へ誘導する誘導ガイド部の基側に高さ調整用偏心軸を、先側にガイド部用偏心軸をそれぞれ配置し、この高さ調整用偏心軸とガイド部用偏心軸によって誘導ガイド部が上下動可能となっているので、形鋼を圧延する場合のように、誘導ガイド部の先端をローラに接触させることなく、誘導ガイド部の位置決めができる。これにより、例えば、ピンチロールを使用することなく、平鋼の上下方向の拘束ができるので、装置構成を簡単にできるとともに、設備コストも低減でき経済的である。
また、高さ調整用偏心軸とガイド部用偏心軸は、リンク機構によって連結され、しかも高さ調整用偏心軸またはガイド部用偏心軸が、ユニバーサル圧延機に設けられた駆動手段、具体的には形鋼を製造するための誘導ガイド部の高さ調整用偏心軸を回動する駆動手段により回動できるので、既設の装置を利用でき、設備コストを低減できるとともに、竪ロールの装着の際の作業性も良好にできる。
【００１１】
特に、請求項２記載の偏心リンク式圧延機ガイド装置は、ガイドローラが平鋼の表面に接触するので、平鋼の移動とともにガイドローラを回転させることができ、平鋼の表面のきず発生を防止できる。
請求項３記載の偏心リンク式圧延機ガイド装置は、平鋼を下方から支持する支持ガイドが設けられているので、この支持ガイドに対して誘導ガイド部を上下動させることで、平鋼の厚みに応じてその間隔を容易に調整できる。
請求項４記載の偏心リンク式圧延機ガイド装置は、平鋼の裏面に接触する搬送ローラを、支持ガイドに設けているので、平鋼の移動に際しこの搬送ローラが回転するため、平鋼の表面のきず発生を防止できる。
【発明を実施するための最良の形態】
【００１２】
続いて、添付した図面を参照しつつ、本発明を具体化した実施の形態につき説明し、本発明の理解に供する。
ここで、図１は本発明の一実施の形態に係る偏心リンク式圧延機ガイド装置を使用し竪ロールを装着した圧延機の断面斜視図、図２は同圧延機の部分正断面図、図３は同圧延機の部分側断面図、図４（Ａ）は圧延設備でＨ形鋼を圧延する場合の説明図、（Ｂ）は同圧延設備のユニバーサル圧延機に竪ロールを装着して平鋼を圧延する場合の説明図、図５はＨ形鋼を圧延する場合のユニバーサル圧延機の部分正断面図である。
【００１３】
図１、図４（Ａ）、（Ｂ）に示すように、圧延設備１０は、第１のユニバーサル圧延機１１と、エッジャー圧延機１２と、第２のユニバーサル圧延機１３とが順次配置されており、第１のユニバーサル圧延機１１には、平鋼を圧延する左右対となる竪ロール１５、１６が装着可能である。なお、第２のユニバーサル圧延機、または第１、第２のユニバーサル圧延機の双方に、平鋼を圧延する左右対となる竪ロールを装着してもよい。以下、第１のユニバーサル圧延機１１に、本発明の一実施の形態に係る偏心リンク式圧延機ガイド装置を使用する場合について詳しく説明するが、説明中左右とは、平鋼を中心としてその幅方向（搬送方向に直交する方向）両側を意味している。
【００１４】
図４（Ａ）に示すように、圧延設備１０は、第１、第２のユニバーサル圧延機１１、１３とエッジャー圧延機１２を有し、更に、ユニバーサル圧延機１１の上流側には、ブレークダウン圧延機（図示しない）が配置され、ユニバーサル圧延機１３の下流側には、仕上ユニバーサル圧延機１８が配置されている。
このように構成することで、Ｈ形鋼は、ブレークダウン圧延機でリバース（往復）圧延が行われた後、第１のユニバーサル圧延機１１、エッジャー圧延機１２、および第２のユニバーサル圧延機１３の間でリバース（往復）圧延が行われ、仕上ユニバーサル圧延機１８で１回圧延が行われる。
【００１５】
図４（Ａ）、図５に示すように、Ｈ形鋼を圧延する第１のユニバーサル圧延機１１は、圧延ラインを中心として上下方向に間隔を有して配置される一対の水平ロール１９、２０と、Ｈ形鋼を幅方向両側から押圧する一対の竪ロール２１、２２とを有している。なお、一対の水平ロール１９、２０と一対の竪ロール２１、２２は、ベース台（図示しない）に回転自在に取付けられている。
この水平ロール１９、２０の圧延ラインの入側および出側には、それぞれＨ形鋼の圧延ラインを中心として上下方向に、Ｈ形鋼を一対の水平ロール１９、２０間と一対の竪ロール２１、２２間へ誘導する上部ガイド２３と下部ガイド２４が、間隔を有して配置されている。なお、上部ガイド２３と下部ガイド２４は、水平ロール１９、２０間の入側と出側で同一の構成であるため、ここでは一方側についてのみ説明する。
【００１６】
下部ガイド２４は、ベース台に設けられたガイドフレームによって支持され、しかも下部ガイド２４の基側下部に設けられた高さ調整用のライナー２５と、下部ガイド２４の中央下部に配置された支持部２６によって、高さ調整可能となっている。なお、下部ガイド２４の先端部は、下側の水平ロール２０に接触している。
上部ガイド２３は、圧延ラインと直交する方向に軸心が配置された高さ調整用偏心軸２７を有し、この高さ調整用偏心軸２７がガイドフレームに回動自在に設けられている。このガイドフレームの一方側には、駆動手段（図示しない）が設置されており、この駆動手段によって、高さ調整用偏心軸２７が回動自在となっている。なお、駆動手段と高さ調整用偏心軸２７とは、取付け取外しが可能な構成となっており、駆動手段が、常時圧延設備に固定された状態となっている。
【００１７】
また、上部ガイド２３の中央部には、ガイドフレームに吊り下げられたばね材２８の先部が取付けられ、上部ガイド２３を上方へ引き上げている。なお、上部ガイド２３の先端部は、上側の水平ロール１９に接触している。
従って、上部ガイド２３は、常時、ばね材２８により上方へ引き上げられる力が作用しており、高さ調整用偏心軸２７と先端部との二点によって、その高さ位置が決まる。
このように構成することで、下部ガイド２４の高さ位置の調整をライナー２５によって行うとともに、上部ガイド２３の高さ位置を、圧延するＨ形鋼の厚みに応じて、駆動手段により高さ調整用偏心軸２７を回動させることによって調整できる。
【００１８】
この第１のユニバーサル圧延機１１は、平鋼を圧延する竪ロール１５、１６が装着可能な構成となっており、平鋼を圧延する場合、第１のユニバーサル圧延機１１の形鋼を圧延する水平ロール１９、２０と竪ロール２１、２２が、竪ロール１５、１６に取り替えられる。
なお、この場合、図４（Ｂ）に示すように、圧延設備１０のエッジャー圧延機１２、第２のユニバーサル圧延機１３、および仕上ユニバーサル圧延機１８を、それぞれ平鋼用のエッジャー圧延機２９と、ユニバーサル圧延機３０、および仕上ユニバーサル圧延機３１に取り替えることもできる。
このように構成することで、平鋼は、ブレークダウン圧延機でリバース（往復）圧延が行われた後、第１のユニバーサル圧延機１１、エッジャー圧延機２９、およびユニバーサル圧延機３０の間でリバース（往復）圧延が行われ、仕上ユニバーサル圧延機３１で１回圧延が行われる。
【００１９】
図１〜図３、図４（Ｂ）に示すように、圧延設備１０の第１のユニバーサル圧延機１１は、平鋼の圧延ラインと直交する方向に、その圧延ラインを中心として配置される一対の竪ロール１５、１６を有している。なお、第１のユニバーサル圧延機１１は、圧延ラインを中心として、実質的に左右対称（基本構造は同一）の構成となっているため、図１においては、竪ロール１６側についてのみ図示し、また、平鋼を一対の竪ロール１５、１６間へ誘導する部分は、竪ロール１５、１６間の入側と出側で同一（基本構造は同一）の構成であるため、図２、図３においては、一方側のみを示す。
一対の竪ロール１５、１６は、ベース台３２上に配置され、回転自在に設けられている。この竪ロール１５、１６は、従来公知の平鋼を圧延するための竪ロールであり、例えば、特開２００５−２７９７０４号公報に開示された竪ロールの構成を適用できる。
【００２０】
一対の竪ロール１５、１６間の入側上方および出側上方には、平鋼を誘導する誘導ガイド部３５、３６が、また一対の竪ロール１５、１６間の入側下方および出側下方には、平鋼を支持する支持ガイド３３、３４が設けられている。そして、圧延ラインの下方に設けられた支持ガイド３３と、上方に設けられた誘導ガイド部３５とで形成される隙間、および圧延ラインの下方に設けられた支持ガイド３４と、上方に設けられた誘導ガイド部３６とで形成される隙間は、それぞれ圧延ラインに沿って、一対の竪ロール１５、１６間から離れた側が、上下方向に広がっている。なお、竪ロール１５、１６間の入側と出側は、第１のユニバーサル圧延機１１に対して平鋼を往復移動させるに際しては、逆になる。
【００２１】
支持ガイド３３、３４は、それぞれ平鋼の幅方向に渡って１または２以上（ここでは、３つ）の開口部３６ａが形成された支持台３７、３８と、この支持台３７、３８に回転自在に設けられた搬送ローラ３９、４０とを有している。
支持台３７、３８はそれぞれ、ベース台３２に設けられたガイドフレーム４１、４２によって支持され、しかも支持ガイド３３、３４の基側下部に設けられた高さ調整用のライナー４３、４４によって、高さ調整可能となっている。なお、支持ガイド３３、３４の先端部は、ベース台３２と隙間を有して配置されている。
【００２２】
この支持台３７、３８の先側下方には、圧延ラインと直交する方向に軸心が配置され、その両側端部がガイドフレーム４１、４２に取付けられた固定軸４５、４６が設けられている。この固定軸４５、４６には、支持台３７、３８の開口部３６ａに対応させて、半径方向内側に軸受け４７が取付けられた搬送ローラ３９、４０が、回転自在に設けられている。
これにより、搬送ローラ３９、４０を支持台３７、３８の表面４８から突出（例えば、５ｍｍ以上２０ｍｍ以下程度）させて、搬送ローラ３９、４０が平鋼の裏面と接触する構成となっている。
【００２３】
誘導ガイド部３５、３６の基側（竪ロール１５、１６から遠い側）には、圧延ラインと直交する方向に軸心が配置された高さ調整用偏心軸４９、５０が設けられている。この高さ調整用偏心軸４９、５０は、中央の円柱状偏心部４９ａ、５０ａと、その両側に一体的に直線状に取付けられている駆動軸５１、５２とを有し、しかも駆動軸５１、５２が、円柱状偏心部４９ａ、５０ａの軸心に対して偏心して取付けられている。なお、高さ調整用偏心軸４９、５０の駆動軸５１、５２は、ガイドフレーム４１、４２に回動（回転）自在に設けられ、円柱状偏心部４９ａ、５０ａには誘導ガイド部３５、３６の基側が回動（回転）自在に設けられている。
【００２４】
高さ調整用偏心軸４９、５０は、前記した駆動手段によって回動自在となっており、高さ調整用偏心軸４９、５０と、前記した形鋼を圧延する際に使用する上部ガイド２３の高さ調整用偏心軸２７とが、前記した同一の駆動手段によって回動自在となっている。
これにより、高さ調整用偏心軸４９、５０を回動させた際には、高さ調整用偏心軸４９、５０の円柱状偏心部４９ａ、５０ａに取付けられた誘導ガイド部３５、３６が上下動することになる。
高さ調整用偏心軸４９（高さ調整用偏心軸５０についても同様）の駆動軸５１（５２）のうち、ガイドフレーム４１が取付けられた部分の内側には、一対の駆動側リンクレバー取付け部５３、５４が間隔を有して設けられ、これらに、一対のリンクレバー５５、５６の基部が回動自在に取付けられている。
【００２５】
また、誘導ガイド部３５、３６の先側（竪ロール１５、１６に近い側）、即ち中央部には、圧延ラインと直交する方向に軸心が配置されたガイド部用偏心軸５７、５８が設けられている。このガイド部用偏心軸５７、５８は、中央の円柱状偏心部５７ａ、５８ａと、その両側に一体的に直線状に取付けられている駆動軸５７ｂ、５８ｂとを有し、しかも駆動軸５７ｂ、５８ｂが、円柱状偏心部５７ａ、５８ａの軸心に対して偏心して取付けられている。なお、ガイド部用偏心軸５７、５８の駆動軸５７ｂ、５８ｂは、ガイドフレーム４１、４２に回動（回転）自在に設けられ、円柱状偏心部５７ａ、５８ａには誘導ガイド部３５、３６の基側が回動（回転）自在に設けられている。
【００２６】
このガイド部用偏心軸５７（ガイド部用偏心軸５８についても同様）の駆動軸５７ｂ（５８ｂ）のうち、ガイドフレーム４１が取付けられた部分の内側には、一対の従動側リンクレバー取付け部５９、６０が間隔を有して設けられ、この従動側リンクレバー取付け部５９、６０に、一対のリンクレバー５５、５６の先部が回動自在に取付けられている。
なお、前記した一対の駆動側リンクレバー取付け部５３、５４、一対のリンクレバー５５、５６、および一対の従動側リンクレバー取付け部５９、６０が、高さ調整用偏心軸４９、５０とガイド部用偏心軸５７、５８とを連結（接続）するリンク機構を構成する。
これにより、高さ調整用偏心軸４９、５０を回動させた際には、高さ調整用偏心軸４９、５０の円柱状偏心部４９ａ、５０ａが上下動するとともに、この動作と同期しながら、高さ調整用偏心軸４９、５０と間隔を有して設けられたガイド部用偏心軸５７、５８の円柱状偏心部５７ａ、５８ａも上下動するため、これに取付けられた誘導ガイド部３５、３６が平行に上下動できる。
【００２７】
誘導ガイド部３５、３６は、平鋼の表面側に配置され、平鋼の幅方向に渡って１または２以上（ここでは、３つ）の開口部６０ａが形成されており、この開口部６０ａの上方にガイド部用偏心軸５７、５８が配置されている。なお、ガイド部用偏心軸５７、５８には、誘導ガイド部３５、３６の開口部６０ａが形成された部分に対応して、半径方向内側に軸受け６１が取付けられたガイドローラ６２、６３が、回転自在に設けられている。
これにより、ガイドローラ６２、６３が誘導ガイド部３５、３６の底面６４から突出（例えば、５ｍｍ以上２０ｍｍ以下程度）して、ガイドローラ６２、６３が平鋼の表面と接触する構成となっている。
以上に示した実施の形態において、誘導ガイド部３５、高さ調整用偏心軸４９、ガイド部用偏心軸５７、および高さ調整用偏心軸４９とガイド部用偏心軸５７を連結するリンク機構が、また誘導ガイド部３６、高さ調整用偏心軸５０、ガイド部用偏心軸５８、および高さ調整用偏心軸５０とガイド部用偏心軸５８を連結するリンク機構が、偏心リンク式圧延機ガイド装置をそれぞれ構成している。
【００２８】
なお、図２の符号６５は、上側のガイドローラ６２（ガイドローラ６３も同様）へ冷却水を吹き付けるための冷却水吹き付けノズルであり、符号６６は、搬送ローラ３９（搬送ローラ４０）へ冷却水を吹き付けるための冷却水吹き付けノズルである。これにより、平鋼と接触して加熱されたガイドローラ６２、６３、および搬送ローラ３９、４０を冷却できる。
以上のように構成することで、平鋼用の誘導ガイド部３５、３６の高さ調整用偏心軸４９、５０が、ユニバーサル圧延機に設けられた上部ガイド２３の高さ調整用偏心軸２７を回動する駆動手段により回動され、平鋼用の誘導ガイド３５、３６の先端を支持することなく、誘導ガイド部３５、３６が上下動可能となり、形鋼と平鋼の両方の圧延が可能になる。
【００２９】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部または全部を組合せて本発明の偏心リンク式圧延機ガイド装置を構成する場合も本発明の権利範囲に含まれる。
また、前記実施の形態においては、本発明の偏心リンク式圧延機ガイド装置を使用した圧延機を有する圧延設備の構成を、形鋼と平鋼の両方を圧延する圧延設備に使用する場合について説明したが、平鋼のみを圧延する圧延設備に使用することも可能である。
【００３０】
そして、前記実施の形態においては、ユニバーサル圧延機に設けられた駆動手段によって高さ調整用偏心軸を回動する場合について説明したが、高さ調整用偏心軸とガイド部用偏心軸とはリンク機構によって連結されているため、駆動手段によってガイド部用偏心軸を回動させてもよい。
更に、前記実施の形態においては、誘導ガイド部に開口部を形成し、この開口部からガイドローラの一部を突出させた場合について説明したが、誘導ガイド部を平鋼の幅方向に渡って複数に分割し、この分割部分にガイドローラを配置してもよく、またガイドローラを使用しなくてもよい。なお、支持ガイドについても同様である。
【図面の簡単な説明】
【００３１】
【図１】本発明の一実施の形態に係る偏心リンク式圧延機ガイド装置を使用し竪ロールを装着した圧延機の断面斜視図である。
【図２】同圧延機の部分正断面図である。
【図３】同圧延機の部分側断面図である。
【図４】（Ａ）は圧延設備でＨ形鋼を圧延する場合の説明図、（Ｂ）は同圧延設備のユニバーサル圧延機に竪ロールを装着して平鋼を圧延する場合の説明図である。
【図５】Ｈ形鋼を圧延する場合のユニバーサル圧延機の部分正断面図である。
【符号の説明】
【００３２】
１０：圧延設備、１１：第１のユニバーサル圧延機、１２：エッジャー圧延機、１３：第２のユニバーサル圧延機、１５、１６：竪ロール、１８：仕上ユニバーサル圧延機、１９、２０：水平ロール、２１、２２：竪ロール、２３：上部ガイド、２４：下部ガイド、２５：ライナー、２６：支持部、２７：高さ調整用偏心軸、２８：ばね材、２９：エッジャー圧延機、３０：ユニバーサル圧延機、３１：仕上ユニバーサル圧延機、３２：ベース台、３３、３４：支持ガイド、３５、３６：誘導ガイド部、３６ａ：開口部、３７、３８：支持台、３９、４０：搬送ローラ、４１、４２：ガイドフレーム、４３、４４：ライナー、４５、４６：固定軸、４７：軸受け、４８：表面、４９、５０：高さ調整用偏心軸、４９ａ、５０ａ：円柱状偏心部、５１、５２：駆動軸、５３、５４：駆動側リンクレバー取付け部、５５、５６：リンクレバー、５７、５８：ガイド部用偏心軸、５７ａ、５８ａ：円柱状偏心部、５７ｂ、５８ｂ：駆動軸、５９、６０：従動側リンクレバー取付け部、６０ａ：開口部、６１：軸受け、６２、６３：ガイドローラ、６４：底面、６５、６６：冷却水吹き付けノズル
【図１】
2008183611.tif 000003
【図２】
2008183611.tif 000004
【図３】
2008183611.tif 000005
【図４】
2008183611.tif 000006
【図５】
2008183611.tif 000007